【手続補正書】
【提出日】平成22年4月28日(2010.4.28)
【手続補正１】
【補正対象書類名】特許請求の範囲
【補正対象項目名】全文
【補正方法】変更
【補正の内容】
【特許請求の範囲】
【請求項１】
被写体を撮像する撮像手段と、
前記撮像手段により撮像された画像データに基づいて、人の顔を検出する顔検出手段と、
前記顔検出手段により顔が検出された場合は第１のパンフォーカス処理を行い、前記顔検出手段により顔が検出されなかった場合は前記第１のパンフォーカス処理とは異なる第２のパンフォーカス処理を行なうように制御するフォーカス制御手段と、
を備えたことを特徴とする撮像装置。
【請求項２】
前記顔検出手段は、
前記撮像手段により撮像された画像全体のうち、所定の割合以上の大きさを有する顔のみを検出することを特徴とする請求項１記載の撮像装置。
【請求項３】
前記フォーカス制御手段は、
前記顔検出手段により顔が検出された場合は、人物優先用のパンフォーカス位置を取得することにより、該検出された顔に対してパンフォーカス処理を行うように制御することを特徴とする請求項１又は２記載の撮像装置。
【請求項４】
前記フォーカス制御手段は、
前記顔検出手段により顔が検出された場合は、該検出された顔のサイズに基づいてフォーカス処理を行なうように制御することを特徴とする請求項１又は２記載の撮像装置。
【請求項５】
前記顔検出手段により検出された顔が１つであるか複数であるか否かを判断する顔個数判断手段と、
前記顔個数判断手段により検出された顔が複数であると判断された場合は、複数検出された顔の中からメイン被写体となる顔を特定する顔特定手段と、
を備え、
前記フォーカス制御手段は、
前記顔検出手段により顔が検出されたと判断された場合であって、前記顔個数判断手段により検出された顔が１つであると判断された場合は該検出された顔のサイズに基づいてフォーカス処理を行い、前記顔個数判断手段により検出された顔が複数であると判断された場合は前記顔特定手段により特定された顔のサイズに基づいてフォーカス処理を行うように制御することを特徴とする請求項４記載の撮像装置。
【請求項６】
前記顔特定手段は、
検出された各顔の大きさ、各顔の画角中心から近さ、各顔の顔らしさ、の各要件のうち少なくとも１つ以上の要件に基づいてメイン被写体となる顔を特定することを特徴とする請求項５記載の撮像装置。
【請求項７】
撮影シーンを判断する判断手段を備え、
前記フォーカス制御手段は、
前記顔検出手段により顔が検出されなかった場合は、前記判断手段により判断された撮影シーンに基づいて、撮影シーン別のパンフォーカス処理を行うように制御することを特徴とする請求項１乃至６の何れかに記載の撮像装置。
【請求項８】
前記判断手段は、
ストロボ発光による撮影か否か、超高照度若しくは超低照度か否か、フリッカーを検出したか否か、光源は太陽光か否か、絞り開放であるか否か、の要件のうち少なくとも１つ以上の要件に基づいて撮影シーンを判断することを特徴とする請求項７記載の撮像装置。
【請求項９】
前記判断手段により判断された撮影シーンに基づいて、パンフォーカスの種類を判定する判定手段を備え、
前記フォーカス制御手段は、
前記顔検出手段により顔が検出されなかった場合は、前記判定手段により判定されたパンフォーカスの種類に基づいて、パンフォーカス処理を行うように制御することを特徴とする請求項７記載の撮像装置。
【請求項１０】
ズーム処理を行うことによりズーム倍率を変更させるズーム制御手段を備え、
前記フォーカス制御手段は、
前記ズーム制御手段により変更されたズーム倍率も考慮して、前記第１のパンフォーカス処理又は第２のパンフォーカス処理を行うように制御することを特徴とする請求項１乃至９の何れかに記載の撮像装置。
【請求項１１】
半押し全押し可能な撮影を指示するためのシャッタボタンと、
前記シャッタボタンが一気に全押しされたか否かを判断する第１の判断手段と、
前記シャッタボタンが半押しされたか否かを判断する第２の判断手段と、
を備え、
前記フォーカス制御手段は、
前記第１の判断手段により一気にシャッタボタンが全押しされたと判断された場合であって、前記顔検出手段により顔が検出された場合は前記第１のパンフォーカス処理を行い、前記顔検出手段により顔が検出されなかった場合は、前記第２のパンフォーカス処理を行なうように制御することを特徴とする請求項１乃至１０の何れかに記載の撮像装置。
【請求項１２】
被写体に対してオートフォーカス処理を行なうように制御するオートフォーカス制御手段を備え、
前記オートフォーカス制御手段は、
前記第２の判断手段によりシャッタボタンが半押しされたと判断された場合は、オートフォーカス処理を行なうように制御することを特徴とする請求項１１記載の撮像装置。
【請求項１３】
前記ズーム制御手段により変更された光学ズームのズーム倍率が所定ズーム倍率より小さいか否かを判断するズーム倍率判断手段を備え、
前記フォーカス制御手段は、
前記ズーム倍率判断手段により光学ズームのズーム倍率が所定ズーム倍率より小さくないと判断された場合は、前記第１のパンフォーカス処理及び第２のパンフォーカス処理の制御を禁止し、
前記オートフォーカス制御手段は、
前記ズーム倍率判断手段により光学ズームのズーム倍率が所定ズーム倍率より小さくないと判断された場合は、オートフォーカス処理を行なうように制御することを特徴とする請求項１２記載の撮像装置。
【請求項１４】
前記オートフォーカス制御手段は、
前記顔検出手段により顔が検出された場合は検出された顔の位置に基づくＡＦエリアに対してオートフォーカス処理を行い、前記顔検出手段により顔が検出されなかった場合には所定位置のＡＦエリアに対してオートフォーカス処理を行なうように制御することを特徴とする請求項１２又は１３記載の撮像装置。
【請求項１５】
前記オートフォーカス制御手段は、
前記顔検出手段により顔が検出されたと判断された場合であって、前記顔前記顔個数判断手段により検出された顔が１つであると判断された場合は該検出された顔の位置に基づくＡＦエリアに対してオートフォーカス処理を行い、前記顔個数判断手段により検出された顔が複数であると判断された場合は前記顔特定手段により特定された顔の位置に基づくＡＦエリアに対してオートフォーカス処理を行うように制御することを特徴とする請求項１４記載の撮像装置。
【請求項１６】
前記オートフォーカス制御手段によるオートフォーカス処理が失敗したか否かを判断するＡＦ失敗判断手段を備え、
前記フォーカス制御手段は、
前記ＡＦ失敗判断手段によりオートフォーカス処理が失敗したと判断された場合は、制御を実行させることを特徴とする請求項１２乃至１５の何れかに記載の撮像装置。
【請求項１７】
前記第１の判断手段は、
前記シャッタボタンが半押しされてから所定時間経過前に前記シャッタボタンが全押しされた場合は、前記シャッタボタンが一気に全押しされたと判断し、
前記第２の判断手段は、
前記シャッタボタンが半押しされてから前記シャッタボタンが全押しされることなく前記所定時間が経過した場合には、前記シャッタボタンが半押しされたと判断することを特徴とする請求項１１乃至１６の何れかに記載の撮像装置。
【請求項１８】
前記第１の判断手段は、
前記第２の判断手段により前記シャッタボタンが半押しされたと判断されることなく、前記シャッタボタンが全押しされたと判断された場合は、前記シャッタボタンが一気に全押しされたと判断することを特徴とする請求項１１乃至１６の何れかに記載の撮像装置。
【請求項１９】
前記第２の判断手段によりシャッタボタンが半押しされたと判断された後に、前記シャッタボタンが全押しされたか否かを判断する第３の判断手段を備え、
前記第１の判断手段は、
前記第３の判断手段により前記シャッタボタンが全押しされたときに、前記オートフォーカス制御手段によるオートフォーカス処理が完了していない場合は、シャッタボタンが一気に全押しされたと判断することを特徴とする請求項１１乃至１６の何れかに記載の撮像装置。
【請求項２０】
被写体を撮像する撮像処理と、
前記撮像処理により撮像された画像データに基づいて、人の顔を検出する顔検出処理と、
前記顔検出処理により顔が検出された場合は第１のパンフォーカス処理を行い、前記顔検出処理により顔が検出されなかった場合は前記第１のパンフォーカス処理とは異なる第２のパンフォーカス処理を行なうように制御するフォーカス制御処理と、
を含み、上記各処理をコンピュータで実行させることを特徴とするプログラム。